(57)【要約】【課題】ネイルダストの飛散防止効果と作業性とを両立できるネイルダスト飛散防止カバーを提供する。【解決手段】本発明のネイルダスト飛散防止カバーは、矩形の上面板とこの上面板の四辺から下方に延伸する正面板、背面板、右側面板及び左側面板とを備え、上記上面板、正面板、背面板、右側面板及び左側面板が隣接する板と側辺を共有し、かつ透明であるネイルダスト飛散防止カバーであって、上記正面板に第１開口を有し、上記左側面板と背面板との共通辺を含む位置、又は上記右側面板と背面板との共通辺を含む位置のいずれか一方に第２開口を有し、上記左側面板と背面板との共通辺を含む位置、又は上記右側面板と背面板との共通辺を含む位置の他方に第３開口を有し、上記第１開口、第２開口及び第３開口が正面板、背面板、右側面板又は左側面板の下辺まで連通し、上記第２開口が上記第３開口より大きいことを特徴とする。【選択図】図１
2016189948.tif 000002
【特許請求の範囲】
【請求項１】
矩形の上面板とこの上面板の四辺から下方に延伸する正面板、背面板、右側面板及び左側面板とを備え、上記上面板、正面板、背面板、右側面板及び左側面板が隣接する板と側辺を共有し、かつ透明であるネイルダスト飛散防止カバーであって、
上記正面板に第１開口を有し、
上記左側面板と背面板との共通辺を含む位置、又は上記右側面板と背面板との共通辺を含む位置のいずれか一方に第２開口を有し、
上記左側面板と背面板との共通辺を含む位置、又は上記右側面板と背面板との共通辺を含む位置の他方に第３開口を有し、
上記第１開口、第２開口及び第３開口が正面板、背面板、右側面板又は左側面板の下辺まで連通し、
上記第２開口が上記第３開口より大きいことを特徴とするネイルダスト飛散防止カバー。
【請求項２】
上記第１開口の幅が１２ｃｍ以上２３ｃｍ以下であり、第１開口の高さが８ｃｍ以上２０ｃｍ以下であり、
上記第２開口の右側面板又は左側面板における幅が１３ｃｍ以上２１ｃｍ以下であり、第２開口の背面板における幅が１ｃｍ以上８ｃｍ以下であり、第２開口の高さが８ｃｍ以上２０ｃｍ以下であり、
上記第３開口の右側面板又は左側面板における幅が３ｃｍ以上１３ｃｍ以下であり、第３開口の背面板における幅が１ｃｍ以上８ｃｍ以下であり、第３開口の高さが８ｃｍ以上２０ｃｍ以下である請求項１に記載のネイルダスト飛散防止カバー。
【請求項３】
上記正面板、背面板、右側面板及び左側面板の高さが同一である請求項１又は請求項２に記載のネイルダスト飛散防止カバー。
【請求項４】
上記正面板、平面板、右側面板及び左側面板が、上辺が下辺より短い等脚台形である請求項１、請求項２又は請求項３に記載のネイルダスト飛散防止カバー。
【請求項５】
上記上面板、正面板、背面板、右側面板及び左側面板の主成分がアクリル樹脂である請求項１から請求項４のいずれか１項に記載のネイルダスト飛散防止カバー。
【発明の詳細な説明】
【技術分野】
【０００１】
本発明は、ネイルダスト飛散防止カバーに関する。
【背景技術】
【０００２】
ネイルサロン等において爪の装飾、手入れ等を行う際、通常研磨装置を用いて爪を研磨する。その際、ネイルダストが発生し、空中に拡散する。そのため、施術者や被施術者にはマスクの着用が必要となる等の不都合が生じる。
【０００３】
これに対し、施術者及び被施術者の手を内部に収容し、その内部で研磨を行うことができるネイルダスト飛散防止カバーが開発されている（実用新案登録３１６３０５８号公報参照）。
【０００４】
しかしながら、上記ネイルダスト飛散防止カバーでは、手を入れる穴が大きい場合は穴からのネイルダストの飛散や漏出が起こるという不都合がある。逆に、穴が小さい場合はネイルダスト飛散防止カバーを置いたままの研磨機等の出し入れが困難となり、研磨機の出し入れにおいてカバーを開ける必要が生じたり、研磨機の出し入れに伴いネイルダストが飛散するという不都合がある。このように、従来のネイルダスト飛散防止カバーでは、ネイルダストの飛散防止効果と作業効率とを両立することは困難である。
【先行技術文献】
【特許文献】
【０００５】
【特許文献１】実用新案登録３１６３０５８号公報
【発明の概要】
【発明が解決しようとする課題】
【０００６】
本発明はこれらの不都合に鑑みてなされたものであり、ネイルダストの飛散防止効果と作業性とを両立できるネイルダスト飛散防止カバーの提供を目的とするものである。
【課題を解決するための手段】
【０００７】
上記課題を解決するためになされた発明は、矩形の上面板とこの上面板の四辺から下方に延伸する正面板、背面板、右側面板及び左側面板とを備え、上記上面板、正面板、背面板、右側面板及び左側面板が隣接する板と側辺を共有し、かつ透明であるネイルダスト飛散防止カバーであって、上記正面板に第１開口を有し、上記左側面板と背面板との共通辺を含む位置、又は上記右側面板と背面板との共通辺を含む位置のいずれか一方に第２開口を有し、上記左側面板と背面板との共通辺を含む位置、又は上記右側面板と背面板との共通辺を含む位置の他方に第３開口を有し、上記第１開口、第２開口及び第３開口が正面板、背面板、右側面板又は左側面板の下辺まで連通し、上記第２開口が上記第３開口より大きいことを特徴とするネイルダスト飛散防止カバーである。
【０００８】
当該ネイルダスト飛散防止カバーは、第１開口から被施術者がカバー内部に手を入れ、第２開口及び第３開口から施術者がカバー内部に手を入れることができる。当該ネイルダスト飛散防止カバーは、これらの板が透明であるためカバー内が視認可能であり、これにより爪の研磨等の作業をカバー内部で行うことができ、空気中へのネイルダストの飛散や漏出を低減できる。また、第２開口が第３開口よりも大きいため、施術者が研磨機等を持ったまま利き手を第２開口からカバー内部に容易に出し入れすることができる。そのため、研磨機の出し入れの際カバーが動くことによるカバー内部のネイルダストの外部への流出を低減できる。さらに、当該ネイルダスト飛散防止カバーは構造が単純であるため、製造が容易であり、製造コストも低い。また、使用時に電力を必要とせず、使用後にはカバーを裏返して内部を清掃できるためランニングコストも低い。加えて、当該ネイルダスト飛散防止カバーは施術者の両手及び被施術者の片手のみをカバーするものであるため、サイズを小さくすることができ、保存に必要な場所を小さくできる。
【０００９】
上記第１開口の幅としては１２ｃｍ以上２３ｃｍ以下が好ましく、第１開口の高さとしては８ｃｍ以上２０ｃｍ以下が好ましく、上記第２開口の右側面板又は左側面板における幅としては１３ｃｍ以上２１ｃｍ以下が好ましく、第２開口の背面板における幅としては１ｃｍ以上８ｃｍ以下が好ましく、第２開口の高さとしては８ｃｍ以上２０ｃｍ以下が好ましく、上記第３開口の右側面板又は左側面板における幅としては３ｃｍ以上１３ｃｍ以下が好ましく、第３開口の背面板における幅としては１ｃｍ以上８ｃｍ以下が好ましく、第３開口の高さとしては８ｃｍ以上２０ｃｍ以下が好ましい。上記各幅及び高さが上記範囲であることで、施術者の利き手及び非利き手、並びに被施術者の手の出し入れの容易性とネイルダストの飛散防止とをより効率良く両立できる。
【００１０】
上記正面板、背面板、右側面板及び左側面板の高さが同一であるとよい。これにより、当該ネイルダスト飛散防止カバーを安定して設置及び使用することができる。また、複数の当該ネイルダスト飛散防止カバーを安定して積み重ねることが可能となり、その結果保存に必要な場所をより小さくできる。
【００１１】
上記正面板、平面板、右側面板及び左側面板が、上辺が下辺より短い等脚台形であるとよい。これにより、複数の当該ネイルダスト飛散防止カバーを積み重ねる際における高さを小さくすることができ、その結果保存場所をさらに小さくできる。
【００１２】
上記上面板、正面板、背面板、右側面板及び左側面板の主成分がアクリル樹脂であるとよい。上記各板の主成分がアクリル樹脂であることで、強度、透明性及び製造の容易性を全て高いレベルとすることができる。
【００１３】
ここで、「正面板と背面板との距離」とは、正面板の重心と背面板の重心との距離をいう。「右側面板と左側面板との距離」とは、右側面板の重心と左側面板の重心との距離をいう。「第１開口の幅」とは、正面板における第１開口の最も広い部分の幅をいう。「開口の高さ」とは、各開口のうち最も高い箇所と正面板、背面板、右側面板又は左側面板の下辺を含む直線との最短距離をいう。「開口の背面板、右側面板又は左側面板における幅」とは、背面板、右側面板又は左側面板の下辺において開口が切り取る辺の長さをいう。「主成分」とは、質量基準で最も多い成分（例えば、５０質量％）をいう。
【発明の効果】
【００１４】
以上説明したように、本発明のネイルダスト飛散防止カバーは、ネイルダストの飛散防止効果と作業性とを両立できる。そのため、ネイルサロンにおける使用の他、個人宅での使用にも適する。
【図面の簡単な説明】
【００１５】
【図１】当該ネイルダスト飛散防止カバーの一実施形態における模式的斜視図である。
【図２】当該ネイルダスト飛散防止カバーの一実施形態における模式的展開図である。
【発明を実施するための形態】
【００１６】
以下、適宜図面を参照しつつ本発明の実施の形態を詳説する。
【００１７】
［ネイルダスト飛散防止カバー］
図１及び２に示す当該ネイルダスト飛散防止カバーは、矩形の上面板１とこの上面板１の四辺から下方に延伸する正面板２、背面板３、右側面板４及び左側面板５（以下、この５枚を合わせて「各板」と総称する場合もある。）とを備え、第１開口Ａ、第２開口Ｂ及び第３開口Ｃを有する。上記各板は長方形であり隣接する板と辺を共有する。また、上記第１開口Ａ、第２開口Ｂ及び第３開口Ｃは、上記各板の下辺の一部を切り取る。すなわち、本実施形態のネイルダスト飛散防止カバーは、直方体から底面及び第１開口Ａ、第２開口Ｂ及び第３開口Ｃを切り取った形状である。
【００１８】
＜上面板、正面板、背面板、右側面板及び左側面板＞
上面板１における縦の長さの下限としては、２０ｃｍが好ましく、２２ｃｍがより好ましい。一方、上記長さの上限としては、３０ｃｍが好ましく、２８ｃｍがより好ましい。上記長さが上記下限より小さいと、当該ネイルダスト飛散防止カバー内に十分な作業スペースが確保されないおそれがある。逆に、上記長さが上記上限を超えると、施術者及び被施術者との距離が広がり、施術が困難となるおそれや、カバー内に前腕部を入れる必要が生じることで被服にネイルダストが付着するおそれがある。ここで、「上面板１の縦の長さ」とは、正面板２に接する辺と背面板３に接する辺との距離をいう。
【００１９】
上面板１における横の長さの下限としては、２０ｃｍが好ましく、２２ｃｍがより好ましい。一方、上記長さの上限としては、３０ｃｍが好ましく、２８ｃｍがより好ましい。上記長さが上記下限より小さいと、当該ネイルダスト飛散防止カバー内に十分な作業スペースが確保されないおそれがある。逆に、上記長さが上記上限を超えると、当該ネイルダスト飛散防止カバー内に施術者が自然な角度で手を入れ難くなり、施術が困難となるおそれがある。ここで、「上面板１の横の長さ」とは、右側面板４に接する辺と左側面板５に接する辺との距離をいう。
【００２０】
当該ネイルダスト飛散防止カバーの高さの下限としては、１５ｃｍが好ましく、１８ｃｍがより好ましい。一方、上記高さの上限としては、２５ｃｍが好ましく、２３ｃｍがより好ましい。上記高さが上記下限より小さいと、当該ネイルダスト飛散防止カバー内に十分な作業スペースが確保されないおそれがある。逆に、上記長さが上記上限を超えると、当該ネイルダスト飛散防止カバーの保存に必要な場所が過度に大きくなるおそれや、当該ネイルダスト飛散防止カバー内部の清掃が困難となるおそれがある。ここで、「当該ネイルダスト飛散防止カバーの高さ」とは、当該ネイルダスト飛散防止カバーを水平面に戴置した際の最大高さをいう。
【００２１】
上記正面板２と背面板３との距離に対する当該ネイルダスト飛散防止カバーの高さの比の下限としては、０．７５が好ましく、０．７８がより好ましい。一方、上記比の上限としては、１．２が好ましく、０．９がより好ましい。上記比が上記下限より小さいと、当該ネイルダスト飛散防止カバー内に十分な作業スペースが確保されないおそれがある。逆に、上記比が上記上限を超えると、当該ネイルダスト飛散防止カバーの保存に必要な場所が過度に大きくなるおそれや、当該ネイルダスト飛散防止カバー内部の清掃が困難となるおそれがある。
【００２２】
上記正面板２と背面板３との距離に対する右側面板４と左側面板５との距離の比の下限としては、０．７５が好ましく、０．８がより好ましい。一方、上記比の上限としては、１．２が好ましく、１．１がより好ましい。上記比が上記下限より小さいと、当該ネイルダスト飛散防止カバー内に十分な作業スペースが確保されないおそれがある。逆に、上記比が上記上限を超えると、当該ネイルダスト飛散防止カバーの保存に必要な場所が過度に大きくなるおそれがある。
【００２３】
当該ネイルダスト飛散防止カバーの戴置時に上面板１は水平であってもよく、傾斜していてもよいが、水平であることが好ましい。上面板１が傾斜している場合、その傾斜角の上限としては、１０°が好ましく、５°がより好ましい。ここで、「上面板１の傾斜角」とは、上面板１と水平方向とがなす角のうち小さい方の角をいう。
【００２４】
各板の平均厚みとしては、当該ネイルダスト飛散防止カバーが自立できる程度であれば特に限定されないが、平均厚みの下限としては２ｍｍが好ましく、２．５ｍｍがより好ましい。一方、上記平均厚みの上限としては５ｍｍが好ましく、４ｍｍがより好ましい。上記平均厚みが上記下限より小さいと、当該ネイルダスト飛散防止カバーの強度が不十分となるおそれがある。逆に、上記平均厚みが上記上限を超えると、当該ネイルダスト飛散防止カバーの重量が不必要に増加するおそれや、製造コストが増加するおそれがある。
【００２５】
各板の主成分としては、透明であり板状に成形できるだけの強度があれば特に限定されないが、例えばアクリル樹脂、ポリエチレンテレフタレート、ポリカーボネート、塩化ビニル等が挙げられる。これらの中で、アクリル樹脂が好ましい。また、これらの樹脂に加え、各種添加剤が添加されていてもよい。
【００２６】
＜第１開口、第２開口及び第３開口＞
（第１開口）
上記第１開口Ａは、上記正面板２に形成され、上記正面板２の下辺まで連通する。この第１開口Ａは、施術時に被施術者が手を通す穴である。
【００２７】
上記第１開口Ａの形状としては、被施術者が手を通すことができるものであれば特に限定されないが、矩形又は上側の角を丸めた矩形（アーチ形）が好ましい。
【００２８】
第１開口Ａの幅の下限としては、１２ｃｍが好ましく、１５ｃｍがより好ましい。一方、上記幅の上限としては、２３ｃｍが好ましく、２１ｃｍがより好ましい。
【００２９】
第１開口Ａの高さの下限としては、８ｃｍが好ましく、１０ｃｍがより好ましい。一方、上記高さの上限としては、２０ｃｍが好ましく、１８ｃｍがより好ましい。
【００３０】
上記幅又は高さが上記下限より小さいと、被施術者の手の出し入れが困難となるおそれがある。逆に、上記幅又は高さが上記上限を超えると、第１開口Ａからネイルダストが当該ネイルダスト飛散防止カバー外部に漏れ出るおそれがある。
【００３１】
上記右側面板４と左側面板５との距離に対する第１開口Ａの幅の比の下限としては、０．５が好ましく、０．６がより好ましい。一方、上記幅の比の上限としては、０．８が好ましく、０．７５がより好ましい。
【００３２】
当該ネイルダスト飛散防止カバーの高さに対する第１開口Ａの高さの比の下限としては、０．５が好ましく、０．５５がより好ましい。一方、上記高さの比の上限としては、０．８が好ましく、０．７５がより好ましい。
【００３３】
上記幅の比又は高さの比が上記下限より小さいと、被施術者の手の出し入れが困難となるおそれがある。逆に、上記幅の比又は高さの比が上記上限を超えると、第１開口Ａからネイルダストが当該ネイルダスト飛散防止カバー外部に漏れ出るおそれがある。
【００３４】
（第２開口及び第３開口）
上記第２開口Ｂは、上記左側面板５と背面板３との共通辺を含む位置、又は上記右側面板４と背面板３との共通辺を含む位置のいずれか一方に形成され、上記背面板３及び左側面板５又は右側面板４の下辺まで連通する。また、第２開口Ｂは第３開口Ｃより大きい。この第２開口Ｂは、施術時に施術者が研磨機等を持ったまま利き手を通す穴である。施術者が右利きの場合、第２開口Ｂは上記左側面板５と背面板３との共通辺を含む位置に形成される。逆に、施術者が左利きの場合、第２開口Ｂは上記右側面板と背面板３との共通片を含む位置に形成される。図１は、施術者が右利きの場合を例示している。
【００３５】
上記第３開口Ｃは、上記左側面板５と背面板３との共通辺を含む位置、又は上記右側面板４と背面板３との共通辺を含む位置の他方に形成され、上記背面板３及び左側面板５又は右側面板４の下辺まで連通する。この第３開口Ｃは、施術時に施術者が非利き手を通す穴である。
【００３６】
上記第２開口Ｂ及び第３開口Ｃの形状としては、施術者が手を通すことができるものであれば特に限定されないが、矩形又は上側の角を丸めた矩形（アーチ形）が好ましい。
【００３７】
第２開口Ｂの右側面板４又は左側面板５における幅の下限としては、１３ｃｍが好ましく、１５ｃｍがより好ましい。一方、上記幅の上限としては、２１ｃｍが好ましく、１９ｃｍがより好ましい。
【００３８】
第２開口Ｂの背面板３における幅の下限としては、１ｃｍが好ましく、２ｃｍがより好ましい。一方、上記幅の上限としては、８ｃｍが好ましく、６ｃｍがより好ましい。
【００３９】
第２開口Ｂの高さの下限としては、８ｃｍが好ましく、１０ｃｍがより好ましい。一方、上記高さの上限としては、２０ｃｍが好ましく、１８ｃｍがより好ましい。
【００４０】
上記幅又は高さが上記下限より小さいと、被施術者の手の出し入れが困難となるおそれがある。逆に、上記幅又は高さが上記上限を超えると、第２開口Ｂからネイルダストが当該ネイルダスト飛散防止カバー外部に漏れ出るおそれがある。
【００４１】
当該ネイルダスト飛散防止カバーの高さに対する第２開口Ｂの高さの比の下限としては、０．５が好ましく、０．５５がより好ましい。一方、上記高さの比の上限としては、０．９が好ましく、０．８がより好ましい。
【００４２】
上記正面板２と背面板３との距離に対する第２開口Ｂの右側面板４又は左側面板５における幅の比の下限としては、０．５が好ましく、０．６がより好ましい。一方、上記幅の比の上限としては、０．８が好ましく、０．７５がより好ましい。
【００４３】
上記右側面板４と左側面板５との距離に対する第２開口Ｂの背面板３における幅の比の下限としては、０．０５が好ましく、０．１がより好ましい。一方、上記幅の比の上限としては、０．３が好ましく、０．２５がより好ましい。
【００４４】
上記幅の比又は高さの比が上記下限より小さいと、施術者が利き手に研磨機等を持ったまま手を出し入れすることが困難となるおそれがある。逆に、上記幅の比又は高さの比が上記上限を超えると、第２開口Ｂからネイルダストが当該ネイルダスト飛散防止カバー外部に漏れ出るおそれがある。
【００４５】
第３開口Ｃの右側面板４又は左側面板５における幅の下限としては、３ｃｍが好ましく、５ｃｍがより好ましい。一方、上記幅の上限としては、１３ｃｍが好ましく、１０ｃｍがより好ましい。
【００４６】
第３開口Ｃの背面板３における幅の下限としては、１ｃｍが好ましく、２ｃｍがより好ましい。一方、上記幅の上限としては、８ｃｍが好ましく、６ｃｍがより好ましい。
【００４７】
第３開口Ｃの高さの下限としては、８ｃｍが好ましく、１０ｃｍがより好ましい。一方、上記高さの上限としては、２０ｃｍが好ましく、１８ｃｍがより好ましい。
【００４８】
上記幅又は高さが上記下限より小さいと、被施術者の手の出し入れが困難となるおそれがある。逆に、上記幅又は高さが上記上限を超えると、第３開口Ｃからネイルダストが当該ネイルダスト飛散防止カバー外部に漏れ出るおそれがある。
【００４９】
当該ネイルダスト飛散防止カバーの高さに対する第３開口Ｃの高さの比の下限としては０．３が好ましく、０．４がより好ましい。一方、上記高さの比の上限としては、０．８が好ましく、０．７５がより好ましい。
【００５０】
上記正面板２と背面板３との距離に対する第３開口Ｃの右側面板４又は左側面板５における幅の比の下限としては、０．２５が好ましく、０．３がより好ましい。一方、上記幅の比の上限としては、０．５が好ましく、０．４がより好ましい。
【００５１】
上記右側面板４と左側面板５との距離に対する第３開口Ｃの背面板３における幅の比の下限としては、０．０５が好ましく、０．１がより好ましい。一方、上記幅の比の上限としては、０．３が好ましく、０．２５がより好ましい。
【００５２】
上記幅の比又は高さの比が上記下限より小さいと、被施術者の非効き手の出し入れが困難となるおそれがある。逆に、上記幅の比又は高さの比が上記上限を超えると、第３開口Ｃからネイルダストが当該ネイルダスト飛散防止カバー外部に漏れ出るおそれがある。
【００５３】
＜ネイルダスト飛散防止カバーの製造方法＞
当該ネイルダスト飛散防止カバーの製造方法としては、特に制限されないが、例えば各板を個別に形成した後接着剤を用いて貼り合わせる方法、金型を用いて一体成形する方法等が挙げられる。
【００５４】
上記各板を接着剤で貼り合わせる方法では、製造に高度な装置を要しないため安価に製造できるという利点がある。この接着剤としては、各板の材質に応じ適宜選択できる。
【００５５】
上記金型成形による方法では、大量生産が容易である点、各板の継ぎ目が滑らかであるため施術時の視野をより広く確保できる点等の利点がある。
【００５６】
＜利点＞
上記のように、当該ネイルダスト飛散防止カバーは、第１開口から被施術者がカバー内部に手を入れ、第２開口及び第３開口から施術者がカバー内部に手を入れることができる。当該ネイルダスト飛散防止カバーは、これらの板が透明であるためカバー内が視認可能であり、これにより爪の研磨等の作業をカバー内部で行うことができ、空気中へのネイルダストの飛散や漏出を低減できる。また、第２開口が第３開口よりも大きいため、施術者が研磨機等を持ったまま利き手を第２開口からカバー内部に容易に出し入れすることができる。そのため、研磨機の出し入れの際カバーが動くことによるカバー内部のネイルダストの外部への流出を低減できる。さらに、当該ネイルダスト飛散防止カバーは構造が単純であるため、製造が容易であり、製造コストも低い。また、使用時に電力を必要とせず、使用後にはカバーを裏返して内部を清掃できるためランニングコストも低い。加えて、当該ネイルダスト飛散防止カバーは施術者の両手及び被施術者の片手のみをカバーするものであるため、サイズを小さくすることができ、保存に必要な場所を小さくできる。
【００５７】
［その他の実施形態］
当該ネイルダスト飛散防止カバーの実施形態は上述のものに限定されない。上記実施形態では、各板が全て長方形であるが、正面板、背面板、右側面板及び左側面板が上辺が下辺より小さい等脚台形であってもよい。この場合、下辺と上辺との長さの差の上限としては、８ｃｍが好ましく、６ｃｍがより好ましい。
【００５８】
また、上記実施形態では第２開口及び第３開口の高さが等しいが、第２開口の高さと第３開口の高さとが異なっていてもよい。この場合、第２開口の高さが第３開口の高さより大きいことが好ましい。第２開口の高さを第３開口の高さより高くすることで、施術者の手の出し入れの容易性とネイルダストの飛散防止効果とをより高いレベルで両立できる。
【００５９】
当該ネイルダスト飛散防止カバーは底面を備えてもよいが、上記実施形態のように底面を備えないことが好ましい。このように底面を備えないことで、当該ネイルダスト飛散防止カバーの内部の清掃がより容易となる。また、当該ネイルダスト飛散防止カバーの収納時に重ね合わせることが可能となり、保存に必要な場所を小さくすることができる。
【産業上の利用可能性】
【００６０】
以上説明したように、本発明のネイルダスト飛散防止カバーは、ネイルダストの飛散防止効果と作業性とを両立できる。そのため、ネイルサロンにおける使用の他、個人宅での使用にも適する。
【符号の説明】
【００６１】
１  上面板
２  正面板
３  背面板
４  右側面板
５  左側面板
Ａ  第１開口
Ｂ  第２開口
Ｃ  第３開口
【図１】
2016189948.tif 000003
【図２】
2016189948.tif 000004